【手続補正書】
【提出日】平成20年3月11日(2008.3.11)
【手続補正１】
【補正対象書類名】明細書
【補正対象項目名】特許請求の範囲
【補正方法】変更
【補正の内容】
【特許請求の範囲】
【請求項１】  積み重ねて配置された複数の絶縁層を含み、各層が複数の導電性領域のアレイを含み、前記複数の導電性領域の各々が隣接する導電性領域から間隔をあけて配置された無線周波アパーチャであって、隣接する複数の層が少なくとも１方向において、僅かに異なる周期性を有し、もって、無線周波アパーチャの有効誘電率が前記少なくとも１方向に沿って変化する無線周波アパーチャ。
【請求項２】  前記複数の層が、互いに隣接した状態で積み重ねて配置されており、そして／または、前記複数の絶縁層がプリント回路基板であり、そして／または、
前記複数の絶縁層がポリイミドから形成されており、そして／または、
前記複数の導電性領域が長方形状を有している、請求項１に記載の無線周波アパーチャ。
【請求項３】  通過する無線周波数波を屈曲させるための無線周波レンズであって、積み重ねて配置された複数の絶縁層を含み、各層が複数の導電性領域のアレイを含み、前記複数の導電性領域が隣接する導電性領域から間隔をあけて配置され、隣接する複数の層が１方向においてのみ、僅かに異なる周期性を有しており、そして、前記１方向に対して直交する方向において均一の周期性を有するところの無線周波レンズ。
【請求項４】  積み重ねて配置された複数の絶縁層を含み、各層が複数の導電性領域のアレイを含み、前記複数の導電性領域が隣接する導電性領域の各々から間隔をあけて配置された無線周波アパーチャであって、隣接する複数の層が、前記複数の層の主要な２つの軸において僅かに異なる周期性を有するところの無線周波アパーチャ。
【請求項５】  積み重ねて配置された複数の絶縁層を含み、各層が複数の導電性領域のアレイを含み、前記複数の導電性領域が隣接する導電性領域から間隔をあけて配置された無線周波アパーチャであって、隣接する複数の層が少なくとも２つの方向において、異なる周期性を有し、もって、無線周波アパーチャの有効誘電率が、前記複数の層の位置の関数としての前記少なくとも２つの方向に沿って変化する無線周波アパーチャ。
【請求項６】  前記複数の層が平面状であり、積み重ねて配置された前記複数の層が、互いに対して相対的に移動可能であり、そして、隣接する複数の層間の移動が前記複数の層の平面に対して平行な方向における直線移動であり、そして／または、
前記複数の層が平面状であり、積み重ねて配置された前記複数の層が、互いに対して相対的に移動可能であり、そして、隣接する複数の層間の移動が前記複数の層の平面に対して平行な方向における垂直移動であり、そして／または、
少なくとも１つの層を他の層に対して相対的に移動させるための手段をさらに含む、
請求項５に記載の無線周波アパーチャ。
【請求項７】  アンテナに衝突する無線周波数波を屈曲させまたはその向きを操作する方法であって、
積み重ねて配置された複数の絶縁層を、無線周波数波源とアンテナとの間に配置するステップであって、前記複数の絶縁層の各々が複数の導電性領域からなるアレイを含んでおり、前記複数の導電性領域が隣接する導電性領域から間隔をあけて配置され、そして、容量性素子を形成するところのステップと、
前記複数の絶縁層中の前記容量性素子の静電容量を、前記複数の絶縁層中のそれらの位置の関数として調節するステップと
を含む方法。
【請求項８】  前記容量性素子の前記静電容量を調節する前記ステップが、前記複数の絶縁層を互いに対して相対的に移動させることによって実行され、そして／または、
前記複数の導電性領域が長方形構成を有しており、そして、前記絶縁層の移動が直線移動であり、そして／または、
前記複数の絶縁層が平面状であり、そして／または、
前記複数の絶縁層中の前記容量性素子の前記静電容量を調節する前記ステップが、前記複数の層において、少なくとも１方向に沿った少なくとも２つの隣接する層に対する前記複数の導電性領域の周期性を調節することによって実行され、そして／または、
前記周期性を、前記複数の層における２方向において調節し、そして／または、
無線周波数波の合焦を行い、前記容量性素子が各層の中央部分において各層の周辺部分より高い静電容量を提供する、
請求項７に記載の方法。
【請求項９】  無線周波数波を屈曲させるための無線周波レンズでり、積み重ねて配置された複数の絶縁層を含み、各層が複数の導電性領域のアレイを含み、前記複数の導電性領域が隣接する導電性領域から間隔をあけて配置された無線周波レンズであって、隣接する複数の層が少なくとも１方向において、僅かに異なる周期性を有し、もって、無線周波アパーチャの有効誘電率が前記少なくとも１方向に沿って変化する無線周波レンズ。
【請求項１０】  隣接する複数の層が１方向においてのみ、僅かに異なる周期性を有しており、そして、前記１方向に対して直交する方向において均一の周期性を有しており、そして／または、
隣接する複数の層が、前記複数の層の主要な２つの軸において僅かに異なる周期性を有しており、そして／または、
積み重ねて配置された前記複数の層が、互いに対して相対的に移動可能であり、そして／または、
前記複数の層が平面状であり、そして、隣接する複数の層間の移動が前記複数の層の平面に対して平行な方向における直線移動であり、そして／または、
前記複数の層が平面状であり、隣接する複数の層間の移動が前記複数の層の平面に対して平行な方向における垂直移動であり、そして／または、
少なくとも１つの層を他の層に対して相対的に移動させるための手段をさらに含み、そして／または、
前記複数の層が、互いに隣接した状態で積み重ねて配置されており、そして／または、
前記複数の絶縁層がプリント回路基板であり、そして／または、
前記複数の絶縁層がポリイミドから形成されており、そして／または、
前記複数の導電性領域が長方形状を有している
ところの無線周波レンズ。
【請求項１１】  積み重ねて配置された複数の絶縁層を含み、各層が複数の導電性領域のアレイを含み、前記複数の導電性領域が隣接する導電性領域から間隔をあけて配置された無線周波アパーチャであって、隣接する複数の層が少なくとも１方向において、僅かに異なる周期性を有し、もって、無線周波アパーチャの有効誘電率が前記少なくとも１方向に沿って変化し、そして、積み重ねて配置された前記複数の層が、互いに対して相対的に移動可能である無線周波アパーチャ。
【請求項１２】  隣接する複数の層が１方向においてのみ、僅かに異なる周期性を有しており、そして、前記１方向に対して直交する方向において均一の周期性を有しており、そして／または、
隣接する複数の層が、前記複数の層の主要な２つの軸において僅かに異なる周期性を有しており、そして／または、
前記複数の層が平面状であり、そして、隣接する複数の層間の移動が前記複数の層の平面に対して平行な方向における直線移動であり、そして／または、
前記複数の層が平面状であり、隣接する複数の層間の移動が前記複数の層の平面に対して平行な方向における垂直移動であり、そして／または、
少なくとも１つの層を他の層に対して相対的に移動させるための手段をさらに含み、そして／または、
前記複数の層が、互いに隣接した状態で積み重ねて配置されており、そして／または、
前記複数の絶縁層がプリント回路基板であり、そして／または、
前記複数の絶縁層がポリイミドから形成されており、そして／または、
前記複数の導電性領域が長方形状を有している
ところの無線周波アパーチャ。
【請求項１３】  通過する無線周波数波の向きを操作するための無線周波アパーチャであって、前記アパーチャは、積み重ねて配置された複数の絶縁層を含み、各層が複数の導電性領域の２次元アレイを含み、前記複数の導電性領域が隣接する導電性領域から隔離され、そして、積み重ねて配置された前記層が、前記無線周波数波の向きを操作するために、互いに対して相対的に移動可能である無線周波アパーチャ。
【請求項１４】  隣接する複数の層が１方向においてのみ、僅かに異なる周期性を有し、もって、無線周波アパーチャの有効誘電率が前記少なくとも１方向に沿って変化し、そして／または、
隣接する複数の層が１方向においてのみ、僅かに異なる周期性を有しており、そして、前記１方向に対して直交する方向において均一の周期性を有しており、そして／または、
隣接する複数の層が、前記複数の層の主要な２つの軸において僅かに異なる周期性を有しており、そして／または、
前記複数の層が平面状であり、そして、隣接する複数の層間の移動が前記複数の層の平面に対して平行な方向における直線移動であり、そして／または、
前記複数の層が平面状であり、隣接する複数の層間の移動が前記複数の層の平面に対して平行な方向における垂直移動であり、そして／または、
少なくとも１つの層を他の層に対して相対的に移動させるための手段をさらに含み、そして／または、
前記複数の層が、互いに隣接した状態で積み重ねて配置されており、そして／または、
前記複数の絶縁層がプリント回路基板であり、そして／または、
前記複数の絶縁層がポリイミドから形成されており、そして／または、
前記複数の導電性領域が長方形状を有している
ところの無線周波レンズ。
【請求項１５】  アンテナに衝突する無線周波数波を屈曲させまたはその向きを操作する方法であって、
積み重ねて配置された複数の絶縁層を、無線周波数波源とアンテナとの間に配置するステップであって、前記複数の絶縁層の各々が複数の導電性領域からなる２次元アレイを含んでおり、前記複数の導電性領域が隣接する導電性領域から離隔され、そして、容量性素子を形成するところのステップと、
前記複数の絶縁層中の前記容量性素子の静電容量を、前記複数の絶縁層中のそれらの位置の関数として調節するステップと
を含む方法。
【請求項１６】  前記容量性素子の前記静電容量を調節する前記ステップが、前記複数の絶縁層を互いに対して相対的に移動させることによって実行され、そして／または、
前記複数の導電性領域が長方形構成を有しており、そして、前記絶縁層の移動が直線移動であり、そして／または、
前記複数の絶縁層が平面状であり、そして／または、
前記複数の絶縁層中の前記容量性素子の前記静電容量を調節する前記ステップが、前記複数の層において、少なくとも１方向に沿った少なくとも２つの隣接する層に対する前記複数の導電性領域の周期性を調節することによって実行され、そして／または、
前記周期性を、前記複数の層における２方向において調節し、そして／または、
無線周波数波の合焦を行い、前記容量性素子が各層の中央部分において各層の周辺部分より高い静電容量を提供する、
請求項１５に記載の方法。
【請求項１７】  積み重ねて配置された複数の絶縁層を含み、各層が複数の導電性領域のアレイを含み、前記複数の導電性領域が隣接する導電性領域から間隔をあけて配置された無線周波アパーチャであって、１つの層の複数の導電領域と、これと隣接する層の複数の導電領域との間の静電結合が、複数の層の並進運動に応じて変化する無線周波アパーチャ。
【請求項１８】  前記複数の導電領域が、隔離されている、請求項１、４から６、１１、１３、および、１７のいずれか１つに記載の無線周波アパーチャ。
【請求項１９】  前記複数の導電領域が、隔離されている、請求項３および９のいずれか１つに記載の無線周波レンズ。